(57)【要約】【課題】加熱調理器の使用に連動して照明を制御し、且つ加熱調理器の状態に応じ点灯パターンを変更し省エネ性を高める。【解決手段】レンジフード１はＩＨ調理器３の上部に取り付けられ、フード部２０にはＩＨ調理器３の各ヒーターをスポットで照射可能なＬＥＤ照明と、センサユニット４が装備されている。センサユニット４は内部に熱起電力型温度センサ１０を備えＩＨ調理器３のヒーターから発生する遠赤外線を検知する。制御部１６は熱起電力型温度センサ１０の出力からヒーター周辺温度を算出して加熱調理器の使用有無を判断するもので、ＩＨ調理機器３が使用中と判断するとＬＥＤ照明を点灯するものである。【選択図】図１
2009216307.tif 000002
【特許請求の範囲】
【請求項１】
加熱調理機器の上方に設置され、調理時に発生する油煙や臭いを室外へ排気する排気ファンモータと、前記加熱調理機器周辺の遠赤外線を検知する熱起電力型温度センサと、前記熱起電力型温度センサが検出した結果を温度に変換する制御部と、前記加熱調理機器の加熱部をスポットで照らし出す照明を備え、前記制御部が変換した温度を基に前記加熱調理機器の使用状態を判断して前記照明を制御することを特徴とするレンジフード。
【請求項２】
照明は加熱調理機器に複数ある加熱部を個々に照らし出す構成とする請求項１記載のレンジフード。
【請求項３】
遠赤外線の発生エリアから加熱中の加熱部の位置を特定する構成とする請求項１または２記載のレンジフード。
【請求項４】
ある一定の温度上昇を検出した加熱エリアに照明を照射する構成とする請求項１〜３のいずれかに記載のレンジフード。
【請求項５】
ある一定の温度降下を検出した加熱エリアに対し照明の照射を停止する構成とする請求項１〜４のいずれかに記載のレンジフード。
【請求項６】
加熱調理機器の使用終了後は残熱のある加熱部に照明を照射する構成とする請求項１〜５のいずれかに記載のレンジフード。
【請求項７】
加熱エリアの温度を表示する表示部を備えた構成とする請求項１〜６のいずれかに記載のレンジフード。
【請求項８】
加熱エリアの異常温度を検出した際は、照射している照明の点灯パターンを変更しお知らせする構成とする請求項１〜７のいずれかに記載のレンジフード。
【請求項９】
鍋等の沸騰を検出した際は、照射している照明の点灯パターンを変更しお知らせする構成とする請求項１〜８のいずれかに記載のレンジフード。
【請求項１０】
加熱調理機器の加熱エリアから発生する遠赤外線を検知しかつ加熱調理機器の前面に立つ人体から放射される遠赤外線を検知する熱起電力型温度センサを備えた構成とする請求項１〜９のいずれかに記載のレンジフード。
【請求項１１】
一定時間経過しても人体から放射される遠赤外線の検出がなかった場合は、照明の照度を低下する構成とする請求項１〜１０のいずれかに記載のレンジフード。
【請求項１２】
光センサを搭載し、居室内の明るさに応じて照明の照度を調整する構成とする請求項１〜１１のいずれかに記載のレンジフード。
【発明の詳細な説明】
【技術分野】
【０００１】
本発明は、調理機器の熱源を検出し排気ファンモータおよび照明を連動するレンジフードに関する。
【背景技術】
【０００２】
ガスコンロやＩＨコンロ等の加熱調理機器を使用した際に発生する油煙を排出するレンジフードには加熱調理機器周辺を照らしだす照明機器が装備されている。その照明には白熱電球や蛍光灯が使用され、人による操作もしくは調理機器との通信連動で照明ＯＮ／ＯＦＦを行うものが一般的である。従来、こうしたレンジフードには人体検知によって照明を自動ＯＮ／ＯＦＦして省エネ性を高めたものがあり、このような構造として特許文献１に示されるものが知られている。
【特許文献１】特開平０９−３１８１２５号公報
【発明の開示】
【発明が解決しようとする課題】
【０００３】
このような従来のレンジフードでは照明を点灯させるためにレンジフード周辺に立ち寄らなければならず、照明が消灯している際は遠方から調理の様子を確認することが困難となる。また調理機器を使用していなくても人体の有無に反応して照明が点灯してしまうため、余計な電力を消費してしまうという課題がある。
【０００４】
上記課題を解決するために、本発明のレンジフードは調理機器の使用に応じて照明を制御し効率的な電力消費を行うことで経済性を高めたレンジフードを提供できる。
【課題を解決するための手段】
【０００５】
本発明のレンジフードは上記目的を達成するために、加熱調理機器の上方に設置され、調理時に発生する油煙や臭いを室外へ排気する排気ファンモータと、前記加熱調理機器周辺の遠赤外線を検知する熱起電力型温度センサと、前記熱起電力型温度センサが検出した結果を温度に変換する制御部と、前記加熱調理機器の加熱部をスポットで照らし出す照明を備え、前記制御部が変換した温度を基に前記加熱調理機器の使用状態を判断して前記照明を制御することを特徴とするレンジフードとしたものである。
【０００６】
この手段により、加熱調理機器の加熱部周辺の温度で調理がされているかどうかを判断しかつ、その判断結果に基づいて照明の点灯パターンを制御するレンジフードが得られる。
【０００７】
また本発明のレンジフードの他の手段は、照明は加熱調理機器に複数ある加熱部を個々に照らし出す構成とするレンジフードとしたものである。
【０００８】
この手段により、加熱調理機器で調理するときは必要な加熱部周辺のみ照明を当て消費電力を削減するレンジフードを得られる。
【０００９】
また本発明のレンジフードの他の手段は、遠赤外線の発生エリアから加熱中の加熱部の位置を特定する構成とするレンジフードとしたものである。
【００１０】
この手段により、調理で使用されている加熱部の位置を検出しその位置に照明を照射することができるレンジフードが得られる。
【００１１】
また本発明のレンジフードの他の手段は、ある一定の温度上昇を検出した加熱エリアに照明を照射する構成とするレンジフードとしたものである。
【００１２】
この手段により、加熱調理機器の加熱部の加熱開始や使用状態に連動して自動的に照明を照射することができるレンジフードが得られる。
【００１３】
また本発明のレンジフードの他の手段は、ある一定の温度降下を検出した加熱エリアに対し照明の照射を停止する構成とするレンジフードである。
【００１４】
この手段により、加熱調理機器の使用が終了したことに連動し自動的に照明照射を停止できるレンジフードが得られる。
【００１５】
また本発明のレンジフードの他の手段は、加熱調理機器の使用終了後は残熱のある加熱部に照明を照射する構成とするレンジフードとしたものである。
【００１６】
この手段により、ユーザーに残熱がある加熱部をお知らせし、加熱部に触れてやけどすることを防止する効果や、再度調理を行う際に残熱のある加熱部を使用するよう誘導できるレンジフードが得られる。
【００１７】
また本発明のレンジフードの他の手段は、加熱エリアの温度を表示する表示部を備えた構成とするレンジフードとしたものである。
【００１８】
この手段により、ユーザーに加熱エリアの温度をお知らせし、加熱部に触れてやけどすることを防止する効果や、ユーザーが最適な温度で調理ができるよう誘導するレンジフードが得られる。
【００１９】
また本発明のレンジフードの他の手段は、加熱エリアの異常温度を検出した際は、照射している照明の点灯パターンを変更しお知らせする構成とするレンジフードとしたものである。
【００２０】
この手段により、加熱調理機器の異常を離れた位置でもユーザーに報知できるレンジフードが得られる。
【００２１】
また本発明のレンジフードの他の手段は、鍋等の沸騰を検出した際は、照射している照明の点灯パターンを変更しお知らせする構成とするレンジフードとしたものである。
【００２２】
この手段により、離れた位置でもユーザーに鍋の沸騰を報知し、加熱調理機器の加熱停止もしくは温度を調節するよう促すことができるレンジフードが得られる。
【００２３】
また本発明のレンジフードの他の手段は、加熱調理機器の加熱エリアから発生する遠赤外線を検知しかつ加熱調理機器の前面に立つ人体から放射される遠赤外線を検知する熱起電力型温度センサを備えた構成とするレンジフードとしたものである。
【００２４】
この手段により、加熱調理機器への人体の接近および調理機器の操作を遠赤外線で検出し、自動で照明機器を制御することができるレンジフードが得られる。
【００２５】
また本発明のレンジフードの他の手段は、一定時間経過しても人体から放射される遠赤外線の検出がなかった場合は、照明の照度を低下する構成とするレンジフードとしたものである。
【００２６】
この手段により、人がいない場合は照度を落として消費電力を削減するレンジフードが得られる。
【００２７】
また本発明のレンジフードの他の手段は、光センサを搭載し、居室内の明るさに応じて照明の照度を調整する構成とするレンジフードとしたものである。
【００２８】
この手段により、室内の照度に応じて照明機器の照度を増減させ無駄な電力消費を削減することができるレンジフードが得られる。
【発明の効果】
【００２９】
本発明によれば、加熱調理機器の上方に設置され、調理時に発生する油煙や臭いを室外へ排気する排気ファンモータと、前記加熱調理機器周辺の遠赤外線を検知する熱起電力型温度センサと、前記熱起電力型温度センサが検出した結果を温度に変換する制御部と、前記加熱調理機器の加熱部をスポットで照らし出す照明を備え、前記制御部が変換した温度を基に前記加熱調理機器の使用状態を判断して前記照明を制御することを特徴とするレンジフードであり、加熱調理機器を使用した際に発生する遠赤外線を検知することで確実に調理と連動し照明を制御することができる。また照明の照射箇所を使用している加熱部にのみ絞ることで照明機器の電力を削減することが可能となる。また遠赤外線の発生エリアからユーザーが使用している加熱部を特定することでユーザーの手を煩わせることなく自動で必要エリアに照明を照射することが可能となる。また遠赤外線によって加熱部分の温度変化を検出することで、加熱調理機器の使用開始および停止を判断し照明を連動させることが可能となる。また人体から放出される遠赤外線を検出することで、加熱調理機器への人体の接近および機器操作を判断し照明を確実に連動させることが可能となる。
【発明を実施するための最良の形態】
【００３０】
本発明の請求項１記載の発明は、加熱調理機器の上方に設置され、調理時に発生する油煙や臭いを室外へ排気する排気ファンモータと、前記加熱調理機器周辺の遠赤外線を検知する熱起電力型温度センサと、前記熱起電力型温度センサが検出した結果を温度に変換する制御部と、前記加熱調理機器の加熱部をスポットで照らし出す照明を備え、前記制御部が変換した温度を基に前記加熱調理機器の使用状態を判断して前記照明を制御することを特徴とするレンジフードとしたものであり、加熱部から発生する遠赤外線を熱起電力型温度センサで監視し、その出力結果を制御部で温度として検出することで加熱調理機器の加熱状態を判断し、調理と連動して確実に照明を制御することが可能となる。また照明は加熱調理機器の加熱部に対してスポット的に照射する構成とし、必要箇所に最低限の電力で照明照射が可能なレンジフードを提供できる。
【００３１】
また本発明は、照明は加熱調理機器に複数ある加熱部を個々に照らし出す構成とするレンジフードとしたもので、複数ある加熱部のうち必要な箇所を選択して照明照射することが可能であり、必要最低限の電力で照明を行うことが可能なレンジフードを提供できる。
【００３２】
また本発明は、遠赤外線の発生エリアから加熱中の加熱部の位置を特定する構成とするレンジフードとしたもので、複数ある加熱部それぞれの遠赤外線を監視し、遠赤外線の発生エリアから使用されている加熱部を特定できるレンジフードを提供できる。
【００３３】
また本発明は、ある一定の温度上昇を検出した加熱エリアに照明を照射する構成とするレンジフードとしたものであり、複数ある加熱部のうち調理に使用されている加熱部の位置とその温度を検出し、ある一定の温度上昇を検出した場合はその加熱部に照明を照射することが可能なレンジフードを提供できる。
【００３４】
また本発明は、ある一定の温度降下を検出した加熱エリアに対し照明の照射を停止する構成とするレンジフードとしたものであり、複数ある加熱部のうち調理が終了し放熱によって温度が下がっている加熱部の位置とその温度を検出し、ある一定の温度降下を検出するとその加熱部に照射している照明をオフすることが可能なレンジフードを提供できる。
【００３５】
また本発明は、加熱調理機器の使用終了後は残熱のある加熱部に照明を照射する構成とするレンジフードとしたもので、調理終了後に加熱部に残熱がある間は照明の照射を続けることで、ユーザーに残熱をお知らせてしてやけどを防止する効果や、ユーザーが再度調理を開始する際は残熱のある加熱部へ誘導し、加熱時の熱ロスを減らすことが可能なレンジフードが得られる。
【００３６】
また本発明は、加熱エリアの温度を表示する表示部を備えた構成とするレンジフードとしたものであり、ユーザーに残熱をお知らせてしてやけどを防止する効果や、ユーザーに対し無駄な加熱を訴えることで熱ロスの少ない効率的な調理を促すレンジフードが得られる。
【００３７】
また本発明は、加熱エリアの異常温度を検出した際は、照射している照明の点灯パターンを変更しお知らせする構成とするレンジフードとしたものであり、加熱部の検出温度がある一定の基準値を超えたときは、照明の点灯パターンを変更しユーザーに異常加熱が発生したことを報知するものである。これにより離れた場所にいても視覚的にユーザーに訴えて調理機器の停止を促し、無駄な熱ロスを抑制することが可能なレンジフードが得られる。
【００３８】
また本発明は、鍋等の沸騰を検出した際は、照射している照明の点灯パターンを変更しお知らせする構成とするレンジフードとしたものであり、加熱部の上に置かれた鍋が沸騰して温度変化が一定になったときは、照明の点灯パターンを変更してユーザーに報知するものである。これにより離れた場所にいても視覚的にユーザーに訴えて調理機器の停止を促し、無駄な加熱を抑制することが可能なレンジフードが得られる。
【００３９】
また本発明は、加熱調理機器の加熱エリアから発生する遠赤外線を検知しかつ加熱調理機器の前面に立つ人体から放射される遠赤外線を検知する熱起電力型温度センサを備えた構成とするレンジフードとしたものであり、熱起電力型温度センサを加熱調理機器の操作部周辺に向けて配置し、加熱調理機器の前面に人が存在することを遠赤外線によって検知するものである。これによりユーザーが過熱調理機器に近づいたことや加熱調理機器前面でユーザーが待機および操作していることを検知し、照明を連動させることが可能なレンジフードが得られる。
【００４０】
また本発明は、一定時間経過しても人体から放射される遠赤外線の検出がなかった場合は、照明の照度を低下する構成とするレンジフードとしたものであり、人がいない場合は照明の照度を落とし、照明の電力を削減することが可能なレンジフードが得られる。
【００４１】
また本発明は、光センサを搭載し、居室内の明るさに応じて照明の照度を調整する構成とするレンジフードとしたものであり、レンジフードに取り付けられた光センサで居室内の照度を測定し必要照度に満たない場合は照明を点灯させ所定の照度を確保するものである。このような方法で不必要な照明点灯を減らし省エネが可能なレンジフードが得られる。
【００４２】
以下、本発明の実施の形態１について図面を参照しながら説明する。
【００４３】
（実施の形態１）
図１〜図３には本実施の形態１のレンジフード１を示す。レンジフード１はＩＨ調理器３の上部に取り付けられ、レンジフード１は内部に排気ファンモータ５、フード部分２０にはＩＨ調理機器３に向けてセンサユニット４、ＬＥＤ照明７３、ＬＥＤ照明１８、ＬＥＤ照明１９が装備されている。排気ファンモータ５はユーザーがＩＨ調理器３を使って調理を行った際に発生する油煙等を吸い込み、吐出口７から屋外へ排出するものである。スイッチ受付部２１は排気ファンモータ５の運転、停止、各ＬＥＤ照明の点灯／消灯の切り替えを手動で指示するもので、ユーザーがスイッチ操作を行うと、レンジフード１に内蔵されている制御部１６がその指示に基づいて排気ファンモータ５およびＬＥＤ照明７３、ＬＥＤ照明１８、ＬＥＤ照明１９の制御を行うものである。図２にはレンジフード１の制御構成を示すブロック図を示す。
【００４４】
図４にセンサユニット４の内部構造を示す。センサユニット４は、高密度ポリエチレンで形成された保護カバー１２とセンサ素子１１、センサ素子１３、センサ素子１４を内部に納めた熱起電力型温度センサ１０で構成され、ＩＨ調理器３のトッププレート２に対面している。熱起電力型温度センサ１０は通称サーモパイルとも呼ばれ、２種類の金属で構成されたセンサ素子が遠赤外線を検知すると金属接点間に起電力を発生し、その起電力の発生量に基づいて物体表面温度を検出するという使い方ができる。熱起電力型温度センサ１０内部の各センサ素子はトッププレート２上のヒーター６周辺、ヒーター８周辺、ヒーター９周辺から発生する遠赤外線を保護カバー１２を介して検知できる。ここで、センサ素子１１はヒーター６周辺、センサ素子１３はヒーター８周辺、センサ素子１４はヒーター９周辺の遠赤外線を監視しているものとする。
【００４５】
次に熱起電力型温度センサ１０による熱源検知の仕方を説明する。ヒーター６およびヒーター６で加熱される鍋やフライパン等の調理器具から発せられる遠赤外線１５は保護カバー１２を透過し、熱起電力型温度センサ１０に向かう。そして熱起電力型温度センサ１０では向かってきた遠赤外線１５を内部のセンサ素子１１で検知しその検知量に応じたアナログ値を出力する。制御部１６ではその検知量に応じたアナログ値をもとにヒーター６周辺の温度上昇値を算出する。しかしながら実際はセンサ素子自体の特性ばらつきや保護カバー１２による遠赤外線１５の減衰、またレンジフード周辺の物体から放射または反射する遠赤外線の影響により、制御部１６はヒーター６周辺の正確な遠赤外線および温度を算出することはできない。すなわち、以下に示すような検出を行うものである。
【００４６】
図５にＩＨ調理機器３と熱起電力型温度センサ１０の監視範囲を示す。センサ素子１１はＩＨ調理機器３のヒーター６の中心点を中心として半径１０ＣＭの監視エリア２２、センサ素子１３はヒーター８の中心点を中心として半径１０ＣＭの監視エリア２３、センサ素子１４はヒーター９の中心点を中心として半径１０ＣＭの監視エリア２４で発生する遠赤外線を監視している。ここでユーザーがセンサ素子１１の監視エリア２２を全て覆う格好でフライパン１７をヒーター６で加熱し、その後フライパン１７の平均温度が約１００℃となった瞬間の制御部１６が算出するヒーター６周辺の検出温度は約８０℃であり、この約２０℃の差が保護カバー１２の透過率や周辺物体の遠赤外線放射および反射によって起こるズレとなる。このズレについては調理機器の使用状態に合わせて経験的に求めておけば、熱源のおおよその温度を求めることが可能となる。しかしながら本方式では発生する温度を絶対値で算出する必要はなく、ズレを含んだ相対温度からＩＨ調理機器３の使用状況の判断を行うものである。
【００４７】
次に図６でＬＥＤ照明７３の構成について説明する。ＬＥＤ照明内部のＬＥＤチップ２６は着色した蛍光体にＬＥＤの光を照射するもので、蛍光体の材料およびその塗料とＬＥＤの発光波長の組み合わせで様々な発光色を作り出すことが可能なものである。ＬＥＤ照明７３は上記方法で白色の発光色を作り出すＬＥＤチップ２６を搭載し、白熱電球やハロゲンのように赤外線領域の波長を含まず照射対象物に熱エネルギーを与えないものである。放熱板２７はアルミ、銅、ステンレスなど熱伝導率の高い材質からなり、ＬＥＤチップ２６の発熱を放熱することでＬＥＤチップ２６の寿命を延ばすことができる。また、ＬＥＤチップ２６の側面に反射部２８を設け、さらにＬＥＤチップ正面にレンズ２９を備えることで、ＬＥＤチップ２６から発する広がりを持った光を反射部２８で反射させ、さらにレンズ２９で集光することで、スポット的に光を照射するＬＥＤ照明を作り出すことができる。反射部２８の材質としては、反射率の高いアルミ、樹脂などがある。またレンズ２９の材質としては、透過率が高く加工しやすいアクリル、ガラスなどがある。レンジフード１はこうした図６の構造のＬＥＤ照明７３、ＬＥＤ照明１８、ＬＥＤ照明１９を搭載し、ＬＥＤ照明７３はヒーター６周辺、ＬＥＤ照明１８はヒーター８周辺、ＬＥＤ照明１９はヒーター９周辺をそれぞれ照らし出す構成である。またこれらＬＥＤ照明は制御部１６でＩＨ調理機器３の使用状況を判断した結果に基づいてそれぞれ独立して自動制御される機能を有している。
【００４８】
上記構成のレンジフード１についてその動作を図７で説明する。制御部１６は上記熱源検知原理を用いて１分毎にＩＨ調理機器３の各ヒーターの温度を測定し、前回測定した温度と次に測定する温度の比較からＩＨ調理機器３のヒーター使用状態を判断する。図７はヒーター６で鍋料理を開始した際に熱起電力型温度センサ１０の出力から制御部１６が算出したヒーター６周辺温度のグラフ（縦軸：制御部１６の検出温度、横軸：時間）である。
【００４９】
タイミング４２は、ユーザーがＩＨ調理機器３を使用して鍋料理を開始したときであり、この時点で排気ファンモータ５は停止状態、全てのＬＥＤ照明は消灯状態とし、制御部１６が検出しているヒーター６周辺の検出温度は約３０℃とする。
【００５０】
次にタイミング４３で鍋の温度が上昇し、ヒーター６周辺の検出温度は約４０℃となる。このとき、制御部１６はタイミング４２とタイミング４３で検出した温度を比較し、１０℃差の温度上昇があった場合はＩＨ調理機器３が使用されていると判断し、排気ファンモータ５の運転とＬＥＤ照明７３のみ照射を開始する。
【００５１】
次にタイミング４４ではタイミング４３から継続して温度が上昇中であり、ヒーター６周辺の検出温度は約５０℃となる。制御部１６はＩＨ調理機器３で継続して調理がされていると判断し排気ファンモータ５の運転とＬＥＤ照明７３の照射を維持する。
【００５２】
次にタイミング４５、タイミング４６では検出温度は約６０℃であり変化がない。ここで制御部１６は５０℃以上の検出温度がありかつ前回温度と±３℃の範囲内であった場合は状態を維持するが、３回連続して±３℃以内の変化だった場合はＬＥＤ照明の点灯を１秒周期の点滅に変更しユーザーに報知する。そして次のタイミング４７では約６０℃であるため、ＬＥＤ照明７３の点灯を１秒周期の点滅に変更を行う。
【００５３】
このとき調理中の鍋およびその中身の温度上昇は安定している状態であり、ユーザーはＬＥＤ照明の点滅を確認することで温度が飽和していることや鍋が沸騰している可能性があることを理解することができる。
【００５４】
次にタイミング４８ではタイミング４７から温度が低下し、検出温度は約５４℃となっている。制御部１６は検出温度から３℃以上低下したことからＬＥＤ照明７３の点滅を点灯状態に復帰させる。このときユーザーがヒーター６の加熱温度を下げたか、調理中の鍋に蓋をしたか、もしくは新たな食材を鍋につぎ込んだなどで一時的な温度低下が起こった状態が考えられる。
【００５５】
次にタイミング４９ではタイミング４８から大きな温度変化はなく安定していることから、制御部１６はＩＨ調理機器３が継続して使用されていると判断し排気ファンモータ５の運転とＬＥＤ照明７３の照射を維持する。
【００５６】
次にタイミング５０では検出温度は約６０℃となり、鍋が再沸騰したか別の熱源が発生したことが想定されるが、制御部１６はＩＨ調理機器が継続して使用されていると判断し排気ファンモータ５の運転とＬＥＤ照明７３の照射を維持する。
【００５７】
次にタイミング５１ではタイミング５０に対して大きく検出温度が上昇して約１３０℃となる。これは調理が終了し、鍋がヒーター６上から移動されたためにヒーター６の高温部を熱起電力型温度センサ１０が検知していると想定される。このことはタイミング５０からタイミング５１にかけて瞬間的に検出温度が上昇したことから判断できる。ＩＨ調理機器の場合、一般のステンレス鍋であれば調理が終了した時点でのヒーターの温度は２００℃を簡単に超える。調理機器がガスコンロの場合も同様で加熱された五徳が高温になることは言うまでもない。制御部１６では、検出温度が前回検出温度と５０℃以上の相対差が生じた場合は調理が終了したと判断するが、運転を維持し残置運転を行う。
【００５８】
次にタイミング５２では調理が終了したタイミング５１から徐々に温度が低下していく。制御部１６は、温度低下を検知した場合は現状の運転を維持し、次回タイミング５３の検出温度結果を待つ。ここで制御部１６は３℃以上の温度降下があって初めて温度低下と判定し、また温度低下が始まってから１０℃以上の温度低下を確認すると完全な調理終了と判定するものとする。
【００５９】
次にタイミング５３ではタイミング５２から継続して温度が低下し、制御部１６はタイミング５１から検出温度が１０℃以上低下したことを検出してＩＨ調理機器３の調理終了を確定し、排気ファンモータ５の運転停止とＬＥＤ照明７３の消灯を行うものである。
【００６０】
以上のように本実施の形態１のレンジフード１は、保護カバー１２とセンサ素子を内蔵した熱起電力型温度センサ１０で構成されたセンサユニット４とＬＥＤ照明をＩＨ調理機器３と対面させる位置で取り付け、熱起電力型温度センサ１０で検出する遠赤外線をもとに制御部１６がＩＨ調理機器３のヒーター温度を算出し、その算出結果に基づいてＬＥＤ照明の制御を行うもので、ＩＨ調理器の使用に連動してＬＥＤ照明を確実に制御することが可能となる。従来の照明連動では調理機器に接近する人体を検知して照明連動させているため、調理機器を使用するつもりでなくても点灯してしまうが、本方式によると調理に確実に連動させて照明を点灯することが可能となり、誤点灯をなくし省エネ性を高めたレンジフードを提供できる。
【００６１】
またＬＥＤ照明７３、ＬＥＤ照明１８、ＬＥＤ照明１９のように複数の照明を備え、調理で使用する必要最低限のスペースのみ照明を照射することで、無駄な照明電力を消費しないレンジフードを提供できる。
【００６２】
また熱起電力型温度センサ１０にはセンサ素子１１、センサ素子１３、センサ素子１４のそれぞれの監視エリアをヒーター６、ヒーター８、ヒーター９に振り分けて遠赤外線を監視することで、調理に使用しているヒーターを識別することが可能なレンジフードを提供できる。
【００６３】
また熱起電力型温度センサ１０の出力に基づいて温度を算出する制御部１６では、前回検出温度と次回検出温度の比較を行い、次回検出温度が３℃以上上昇していればＩＨ調理機器３が使用中であると判断し、使用中であると判断してから１０℃以上の温度上昇があった場合はＬＥＤ照明を点灯する構成とすることで、調理の開始に連動して自動で照明を照射することが可能なレンジフードを提供できる。
【００６４】
また前回検出温度と次回検出温度の比較を行い、次回検出温度が３℃以上低下していればＩＨ調理機器３の加熱が終了したと判断し、加熱終了を判断してから１０℃以上の温度低下があった場合はＬＥＤ照明を消灯する構成とすることで、調理の終了に連動して自動で照明をオフすることが可能なレンジフードを提供できる。
【００６５】
また前回検出温度と次回検出温度の比較を行い、次回検出温度が±３℃以内で安定していれば状態を維持し、また５０℃以上の検出温度かつ３回連続して温度差が±３℃以内で安定していればＬＥＤ照明の点灯パターンを変更する構成とすることで、ユーザーに調理対象物の温度が安定していることをお知らせ可能なレンジフードを提供できる。
【００６６】
（実施の形態２）
実施の形態２について、図８〜１０を参照しながら説明する。なお、実施の形態１と同一部分は同一符号を付し、その詳細な説明を省略する。
【００６７】
レンジフード３４はフード前面部に温度表示部３７、センサユニット３０が装備されている。センサユニット３０は、シリコンで形成された保護カバー３２とセンサ素子３８、センサ素子３９、センサ素子４０、センサ素子４１を内部に納めた熱起電力型温度センサ３１で構成され、ＩＨ調理器３のトッププレート２に対面している。熱起電力型温度センサ３１は通称サーモパイルとも呼ばれ、２種類の金属で構成されたセンサ素子が遠赤外線を検知すると金属接点間に起電力を発生し、その起電力の発生量に基づいて物体表面温度を検出するという使い方ができる。熱起電力型温度センサ３１内部の各センサ素子はトッププレート２上のヒーター６周辺、ヒーター９周辺、ヒーター６の加熱および加熱温度調整を行うスイッチ操作部３５周辺、ヒーター９の加熱および加熱温度調整を行うスイッチ操作部３６周辺から発生する遠赤外線を保護カバー３２を介して検知できる。ここでセンサ素子３８は監視エリア２２、センサ素子３９は監視エリア２４、センサ素子４０は監視エリア２５、センサ素子４１は監視エリア２９の遠赤外線を監視し、センサ素子４０およびセンサ素子４１はユーザーがＩＨ調理機器３のスイッチ操作部３５またはスイッチ操作部３６に触れたときに手から発する遠赤外線を検知する。制御部１６はセンサ素子４０およびセンサ素子４１の検出結果から、ユーザーがＩＨ調理機器３を使用しようとしていると判断し、ＬＥＤ照明を点灯させる構成である。また制御部１６は１分毎に各監視エリアの温度を検出しており、前回検出した温度と次回検出する温度の相対差からＩＨ調理機器３の使用状況を判定するものである。
【００６８】
上記構成のレンジフード３４についてその動作を図１１で説明する。図１１はユーザーがヒーター６を使用してフライパン１７を加熱した際のセンサ素子３８およびセンサ素子４０の出力から算出した温度と、その算出温度に基づいてＬＥＤ照明が制御される流れを示したグラフであり、本グラフを用いて本実施の形態２のレンジフード３４の動作を説明する。
【００６９】
タイミング５６はユーザーがＩＨ調理機器３に接近する瞬間であり、この時は監視エリア２２、監視エリア２５共に温度は低くすべてのＬＥＤ照明は消灯状態とする。
【００７０】
次にタイミング５７はユーザーがスイッチ操作部３５に触れた瞬間で、このときセンサ素子４０はユーザーの手もしくは腕から発する遠赤外線を検知する。制御部１６ではタイミング５６で算出した監視エリア２５の検出温度とタイミング５７で算出した監視エリア２５の検出温度の比較を行うが、ここで温度差が＋３℃以上あることから制御部１６ではユーザーがヒーター６を操作しようとしていることを判断しＬＥＤ照明７３の点灯を行う。
【００７１】
次にタイミング５８、５９では監視エリア２５からユーザーを検知していることからＬＥＤ照明照射を継続する。またタイミング５９でヒーター６の加熱が開始され、タイミング６０にて制御部１６は監視エリア２２の温度上昇を検出し、調理が開始されたと判断する。
【００７２】
その後、タイミング６１、６２、６３、６４、６５に至る間は監視エリア２２および監視エリア２５共に高い温度を検出していることから制御部１６では調理が継続中と判断し、ＬＥＤ照明７３の照射を継続する。
【００７３】
次に６６にて監視エリア２５の検出温度が低下することを制御部１６で検知するが、ＬＥＤ照明の照射を継続する。次に６７にて監視エリア２５の検出温度が６６から５℃以上低下していることを確認し、ＬＥＤ照明７３の照明照度を１００％から５０％まで低下させる。
【００７４】
ここで制御部１６では、監視エリア２５の検出温度が前回検出温度より５℃以上低下がであった場合はユーザーが完全にＩＨ調理機器３から離れたと判断し、照明照度を低下させるよう働く。
【００７５】
次に６８で監視エリア２２の温度低下を確認し、制御部１６は調理が終了したと判断する。また次のタイミング６９、７０でも監視エリア２２の検出温度は低下し、タイミング７０で制御部１６は、調理終了を判断したタイミング６８から１５℃以上低下があること、監視エリア２５の検出温度が低下したままであることを確認してＬＥＤ照明７３を点滅させる。
【００７６】
ここで制御部１６では、５０℃以上の検出温度があるなかで次回検出温度が前回検出温度より５℃以上の低下がある場合は調理終了したと判断する。また調理終了の判断からさらに１５℃以上の温度低下を確認するとＬＥＤ照明の点滅を開始し、ユーザーに調理が終了していることをお知らせする。また監視エリア２２で検出している温度を温度表示部３７で表示し、どれだけ残熱があるかをお知らせする。タイミング７０の時点では監視エリア２２の検出温度が７０℃あるため、温度表示部３７では図１２の表示を行う。
【００７７】
次にタイミング７１では制御部１６はタイミング７０から継続して温度が低下していることを確認し、タイミング７２で調理開始を確認したタイミング６０の温度を下回ったことを確認してＬＥＤ照明７３の消灯を行う。
【００７８】
ここで制御部１６では、監視エリア２２の検出温度から調理終了を判断した後は、調理開始を判断したタイミング６０での監視エリア２２の検出温度を下回るまでＬＥＤ照明の点灯もしくは点滅を継続し、調理開始時の検出温度を下回った場合はＬＥＤ照明を消灯かつ温度表示部３７を無表示に戻す。
【００７９】
以上のように本実施の形態２のレンジフード３４は、センサ素子４０およびセンサ素子４１でユーザーがＩＨ調理機器３のスイッチ操作部３５またはスイッチ操作部３６に触れたときに手から発する遠赤外線を検知してＬＥＤ照明を点灯させることで、ユーザーが調理機器を操作していることを検知し、調理に連動した照明制御を行うことが可能なレンジフードが得られる。
【００８０】
また人体検知してから監視エリア２５の検出温度が５℃以上低下した場合は、ＬＥＤ照明の照明照度を１００％から５０％まで低下させることで、人がいない場合は照明の照度を落とし、照明の電力を削減することが可能なレンジフードが得られる。
【００８１】
また制御部１６は、５０℃以上の検出温度があるなかで次回検出温度が前回検出温度より３℃以上の低下がある場合は調理終了したと判断し、また調理終了の判断からさらに１０℃以上の低下を確認するとＬＥＤ照明の点滅を開始することで、ユーザーに調理が終了していることをお知らせすることが可能なレンジフードが得られる。また監視エリア２２で検出している温度を温度表示部３７で表示し、どれだけ残熱があるかをお知らせすることで、残熱部に触れてやけどすることを防止することや、調理を続けて開始する際に残熱のあるヒーターへ誘導し、残熱を効率的に利用できるレンジフードが得られる。
【００８２】
また上記レンジフード３４において、ヒーター周辺が３００℃〜４００℃の異常に高い温度で３時間続く場合はＬＥＤ照明を点滅するよう構成すれば、ユーザーに調理機器の異常報知が可能なレンジフードが得られる。
【００８３】
またさらに照度に応じて電圧を生じるフォトダイオードなどの光センサをレンジフードのスイッチ受付部２１に取り付けてレンジフード周辺の照度計測を行い、光センサーで計測した照度が０ＬＸ以上〜４０ＬＸ未満と低ければＬＥＤ照明単体の照度レベルを１００％で点灯し、計測した照度が４０ＬＸ以上〜８０ＬＸ未満であればＬＥＤ照明の照度を５０％で点灯し、８０ＬＸ以上あればＬＥＤ照明を点灯させないように構成することで無駄な照明電力を消費しないレンジフードが得られる。
【産業上の利用可能性】
【００８４】
本発明のレンジフードファンは故障が少なく耐久性に優れ、適正な照明が自動的に設定されるレンジフードファンを提供できるため、家庭用の用途のほか食堂やホテルなどの業務用の用途などにも適用できる。
【図面の簡単な説明】
【００８５】
【図１】本発明の実施の形態１のレンジフードを示す図
【図２】同ブロック構成図
【図３】同レンジフードの概観を示す図
【図４】同熱起電力型温度センサの内部構成図（（ａ）同側面図、（ｂ）同正面図）
【図５】同熱起電力型温度センサの監視範囲を示す図
【図６】同ＬＥＤ照明の構成を示す図
【図７】同熱源検出状態とＬＥＤ照明の点灯パターンを示す図
【図８】本発明の実施の形態２のレンジフードを示す図
【図９】同熱起電力型温度センサの監視範囲を示す図
【図１０】同熱起電力型温度センサの内部構成図（（ａ）同側面図、（ｂ）同正面図）
【図１１】同熱源検出状態とＬＥＤ照明の点灯パターンを示す図
【図１２】同温度表示部を示す図
【符号の説明】
【００８６】
１    レンジフード
２    トッププレート
３    ＩＨ調理機器
４    センサユニット
５    排気ファンモータ
６    ヒーター
７    吐出口
８    ヒーター
９    ヒーター
１０  熱起電力型温度センサ
１２  保護カバー
１５  遠赤外線
１６  制御部
１７  フライパン
１８  ＬＥＤ照明
１９  ＬＥＤ照明
２１  スイッチ受付部
２２  監視エリア
２３  監視エリア
２４  監視エリア
３０  センサユニット
３１  熱起電力型温度センサ
３５  スイッチ操作部
３６  スイッチ操作部
３７  温度表示部
７３  ＬＥＤ照明
【図１】
2009216307.tif 000003
【図２】
2009216307.tif 000004
【図３】
2009216307.tif 000005
【図４】
2009216307.tif 000006
【図５】
2009216307.tif 000007
【図６】
2009216307.tif 000008
【図７】
2009216307.tif 000009
【図８】
2009216307.tif 000010
【図９】
2009216307.tif 000011
【図１０】
2009216307.tif 000012
【図１１】
2009216307.tif 000013
【図１２】
2009216307.tif 000014